(57)【要約】      （修正有）【課題】シンプルな構成の主引手本体の一部材のみに部品点数を削減した構造が簡素化されたものでありながら、指の掛りが十分になされるとともに、回転や摺接が繰り返される部材の省略によって部材の摩耗劣化に伴う動作のガタツキを回避することで、開閉体の表側と裏側の少なくとも一方側から良好な開閉操作性を確保することができる開閉体用引手を提供する。【解決手段】開閉体用引手１は、開閉体の盲貫嵌合孔に取付けけたときに周縁部が嵌合孔の入口周縁部に係止される主フランジ部１０と、嵌合孔に嵌合される主枠状脚部１１と、主枠状脚部１１に外嵌される底部材２とを備え、主フランジ部１０の中心と対称軸に対して主枠状脚部１１の中心と対称軸とを一方向に変位させて、主フランジ部１０の内周縁部の一部に主枠状脚部１１の内面からはみ出す指掛け部１２を設ける。【選択図】図１
0003152767.tif 000002
【実用新案登録請求の範囲】
【請求項１】
開閉体の厚さ方向にのびて形成された嵌合孔に取付けられて、該開閉体開閉の際に引手として機能する開閉体用引手において、
該開閉体用引手は、前記嵌合孔に取付けたときに周縁部内面が該嵌合孔の入口周縁部に係止される主フランジ部と、該主フランジ部から前記開閉体の厚さ方向にのびて前記嵌合孔に嵌合される主枠状脚部とを備えた主引手本体によって構成され、
前記主フランジ部の中心と対称軸に対して前記主枠状脚部の中心と対称軸とを一方向に変位させて、前記主フランジ部の内周縁部の一部に前記主枠状脚部の内面からはみ出す指掛け部を設けたことを特徴とする開閉体用引手。
【請求項２】
前記開閉体用引手は、前記主枠状脚部に嵌合されて該主枠状脚部の先端開口部を閉塞する底部材を備えている請求項１に記載の開閉体用引手。
【請求項３】
前記開閉体用引手は、開閉体の厚さ方向にのびて形成された貫通嵌合孔の一方側に取付けられる前記主引手本体と、前記貫通嵌合孔の他方側に取付けられて前記主引手本体に組み付け可能な補助引手本体とからなり、
前記主引手本体は、前記貫通嵌合孔の一方側に取付けられたときに周縁部内面が該貫通嵌合孔の一方の入口周縁部に係止される主フランジ部と、該主フランジ部から前記開閉体の厚さ方向にのびて前記貫通嵌合孔の一方の入口側に嵌合される主枠状脚部とを備え、
前記補助引手本体は、前記貫通嵌合孔の他方側に取付けられたときに周縁部内面が該貫通嵌合孔の他方の入口周縁部に係止される補助フランジ部と、該補助フランジ部から前記開閉体の厚さ方向にのびて前記貫通嵌合孔の他方の入口側に嵌合される補助枠状脚部とを備えている請求項１に記載の開閉体用引手。
【請求項４】
前記主引手本体の主枠状脚部と前記補助引手本体の補助枠状脚部の一方の枠状脚部が他方の枠状脚部に外嵌され、該他方の枠状脚部に前記開閉体の厚さ方向にのびる複数の切欠が形成されているとともに、一方の枠状脚部の表面には前記複数の切欠に係合可能な複数の突条が形成されている請求項３に記載の開閉体用引手。
【請求項５】
前記補助引手本体の補助枠状脚部の内面に、透明または不透明の板材が前記開閉体の厚さ方向に交差して設けられている請求項３に記載の開閉体用引手。
【請求項６】
前記補助引手本体の補助枠状脚部の内面と、この内面に対向する前記透明または不透明の板材の端面との間に通気用の隙間が形成されている請求項５に記載の開閉体用引手。
【考案の詳細な説明】
【技術分野】
【０００１】
本考案は開閉体用引手に係り、詳しくは、住宅居室の間仕切り戸、押入れの戸（襖）、下駄箱の戸またはクローゼットの戸あるいは家具の引出しなどを含む開閉体に取付けられて、該開閉体開閉の際に引手として機能する開閉体用引手に関する。
【背景技術】
【０００２】
従来の開閉体用引手として、特許文献１に記載の技術が知られており、この特許文献１に記載の開閉体用引手を図１３に示す。
【０００３】
図１３において、開閉体用引手１００は、たとえば、住宅居室の間仕切り戸における左右に移動させて開閉する引き戸１０１に取付けられる。開閉体用引手１００は、引き戸１０１に設けた貫通孔１０２内へ居室内側から嵌合される一方の引手本体１０３と、貫通孔１０２内へ居室外側（廊下側）から嵌合される他方の引手本体１０４と、両者１０３，１０４の間に介在される底板１０５とを含んでいる。
【０００４】
一方の引手本体１０３は、矩形枠状に形成されて周縁部が貫通孔１０２の居室内側の周縁部に係止される係止部１０６と、この係止部１０６の内側から引き戸１０１の厚さ方向にのびて貫通孔１０２に嵌合される矩形状の外枠１０７とを備え、該外枠１０７の図示していない上部および下部の各両サイドには、投影平面形状がＵ字形の切欠（図示省略）が引き戸１０１の厚さ方向を長手方向としてそれぞれ形成されている。
【０００５】
他方の引手本体１０４は、矩形枠状に形成され周縁部が貫通孔１０２の居室外側の周縁部に係止される係止部１０８と、この係止部１０８の内側から引き戸１０１の厚さ方向に延設して貫通孔１０２に嵌合される矩形状の外枠１０９とを備え、該外枠１０９の図示していない上部および下部の各両サイドには、投影平面形状がＵ字形の切欠（図示省略）が引き戸１０１の厚さ方向を長手方向としてそれぞれ形成されている。そして、一方の引手本体１０３を貫通孔１０２内へ居室内側から嵌合し、かつ、他方の引手本体１０４を貫通孔１０２内へ居室外側から嵌合して、各引手本体１０３，１０４を組み合わせることで、一方の引手本体１０３側の図示されていない投影平面形状がＵ字形の切欠と、他方の引手本体１０４側の図示されていない投影平面形状がＵ字形の切欠とが投影平面上で重なり合うことにより、上下各々に一対のガイド溝１１０，１１１が形成される（ただし、図１３には、下側の一対のガイド溝１１０，１１１のみが示されている）。
【０００６】
底板１０５は、中央部がヒンジ部１１２によって相対回転可能に連結された矩形状の板材１１３，１１４と、各板材１１３，１１４の側端部に固着されて各板材１１３，１１４の上下両端よりも僅かに上下両側に突出する突出部（図示省略）を設けたバー１１５，１１６とを備え、バー１１５の図示されていない上下両側の突出部は前記ガイド溝１１０に移動自在に挿入され、バー１１６の図示されていない上下両側の突出部は前記ガイド溝１１１に移動自在に挿入される。
【０００７】
さらに、前記各バー１１５，１１６の外周面には、ゴムや樹脂などからなる弾性変形可能な不透明体のヒレ１１７が取付けられている。
【０００８】
前記構成の開閉体用引手１００によれば、居室内側から引き戸１０１を閉める場合には、図１４（Ａ）のように、指１１８で一方の板材１１３を居室外側（廊下側）へ押圧して移動させることで、引き戸１０１を閉める方向（矢印Ａ）側に指掛りが形成されるので、厚さが薄い引き戸１０１であっても良好な閉じ操作性を確保することができる。
【０００９】
また、居室内側から引き戸１０１を開ける場合には、図１４（Ｂ）のように、指１１８で他方の板材１１４を居室外側（廊下側）へ押圧して移動させることで、引き戸１０１を開ける方向（矢印Ｂ）側に指掛りが形成されるので、厚さが薄い引き戸１０１であっても良好な開き操作性を確保することができる。
【００１０】
一方、居室外側から引き戸１０１を閉める場合には、図１５（Ａ）のように、指１１８で一方の板材１１３を居室内側へ押圧して移動させることで、引き戸１０１を閉める方向（矢印Ａ）側に指掛りが形成されるので、厚さが薄い引き戸１０１であっても良好な閉じ操作性を確保することができる。
【００１１】
また、居室外側から引き戸１０１を開ける場合には、図１５（Ｂ）のように、指１１８で他方の板材１１４を居室内側へ押圧して移動させることで、引き戸１０１を開ける方向（矢印Ｂ）側に指掛りが形成されるので、厚さが薄い引き戸１０１であっても良好な開き操作性を確保することができる。
【先行技術文献】
【特許文献】
【００１２】
【特許文献１】特開２０００−４５５８１号公報
【考案の概要】
【考案が解決しようとする課題】
【００１３】
ところが、前記特許文献１に記載されている開閉体用引手１００は、中央部がヒンジ部１１２によって相対回転可能に連結された矩形状の各板材１１３，１１４と、各板材１１３，１１４の側端部に固着されて各板材１１３，１１４の上下両端よりも僅かに上下両側に突出する突出部（図示省略）を設けたバー１１５，１１６とを備えた底板１０５を備えている。この底板１０５は、部品点数が多く構造が複雑であるばかりか、引き戸１０１開閉の度にヒンジ部１１２の回転が繰り返されるとともに、バー１１５，１１６において各板材１１３，１１４の上下両端よりも僅かに上下両側に突出する突出部（図示省略）と上下各一対のガイド溝１１０，１１１との摺接が繰り返されることになる。そのため、比較的短期間でヒンジ部１１２が摩耗劣化してガタツキを生じ、円滑な回転が妨げられて、一方の板材１１３および他方の板材１１４を居室外側または居室内側へ押圧して移動させることが困難になるおそれを有している。また、比較的短期間で突出部と上下各一対のガイド溝１１０，１１１が摩耗劣化してガタツキを生じ、突出部の円滑な移動が妨げられて、一方の板材１１３および他方の板材１１４を居室外側または居室内側へ押圧して移動させることが困難になるおそれを有している。
【００１４】
一方、前記特許文献１に記載されている開閉体用引手１００では、底板１０５における各板材１１３，１１４が不透明体によって構成され、かつ、前記各バー１１５，１１６の外周面には、ゴムや樹脂などからなる弾性変形可能な不透明体のヒレ１１７が取付けられているので光透過性を有していない。そのため、開閉体用引手１００がたとえば寝室や個室用の引き戸１０１に取付けられると、寝室や個室の外側（たとえば廊下側や隣接する居間側など）から開閉体用引手１００を透して寝室や個室を視認することができないので、プライバシーを保護することができる。また、前記廊下側や隣接する居間側から明かりが寝室内へ洩れるのを防止できるので、就寝時の安眠に寄与することができる。
【００１５】
しかし、前記開閉体用引手１００がたとえばトイレの戸（たとえば引き戸１０１）に取付けられると、トイレ使用時にトイレ用照明器具が点灯されていても、その照射光をトイレの外側（たとえば廊下側）から開閉体用引手１００を透して視認することができないので、トイレ使用中であるのもかかわらず、誤ってトイレの戸を開放してしまう誤動作が生じるおそれを有する。
【００１６】
また、前記開閉体用引手１００は通気性を有していないので、この開閉体用引手１００が取付けられている住宅居室の間仕切り戸、押入れの戸（襖）、下駄箱の戸またはクローゼットの戸あるいは家具の引出しなどを含む開閉体が全閉されていると内部を換気することができない。そのため、不十分な換気により居室在室者や押入れ、下駄箱、クローゼット、家具などの収納品に悪影響を及ぼすことが懸念される。
【００１７】
本考案は上記の実情に鑑みてなされたものであって、シンプルな構成の主引手本体の一部材のみに部品点数を削減した構造が簡素化されたものでありながら、指の掛りが十分になされるとともに、回転や摺接が繰り返される部材の省略によって部材の摩耗劣化に伴う動作のガタツキを回避することで、開閉体の表側と裏側の少なくとも一方側から良好な開閉操作性を確保することができる開閉体用引手の提供を第１の目的とし、前記主引手本体と、回転や摺接が繰り返される部材の省略によって部材の摩耗劣化に伴う動作のガタツキを回避できるように構成して構造が簡素化された補助引手本体とを組み合わせることで、全体として構造が簡素化されたものでありながら、開閉体の表側と裏側の両側から良好な開閉操作性を確保することができるとともに、光の透過および遮断の選択を可能とし、かつ、通気性が確保されて換気機能を発揮できる開閉体用引手の提供を第２の目的とするものである。
【課題を解決するための手段】
【００１８】
前記第１の目的を達成するために、本考案に係る開閉体用引手は、開閉体の厚さ方向にのびて形成された嵌合孔に取付けられて、該開閉体開閉の際に引手として機能する開閉体用引手において、
該開閉体用引手は、前記嵌合孔に取付けたときに周縁部内面が該嵌合孔の入口周縁部に係止される主フランジ部と、該主フランジ部から前記開閉体の厚さ方向にのびて前記嵌合孔に嵌合される主枠状脚部とを備えた主引手本体によって構成され、
前記主フランジ部の中心と対称軸に対して前記主枠状脚部の中心と対称軸とを一方向に変位させて、前記主フランジ部の内周縁部の一部に前記主枠状脚部の内面からはみ出す指掛け部を設けたことを特徴としている。
【００１９】
これによれば、主フランジ部の中心と対称軸に対して主枠状脚部の中心と対称軸とを一方向に変位させることで、主フランジ部の内周縁部の一部に主枠状脚部の内面からはみ出す指掛け部を設けた構成の主引手本体、つまり、主フランジ部の外面から目視不能な指掛け部を該主フランジ部の内周縁部の一部に設けたシンプルな構成の主引手本体の一部材のみに部品点数を削減して構造の簡素化を図ることができる。また、嵌合孔の入口周縁部に係止される主フランジ部の内周縁部の一部に指掛け部が設けられることで、開閉体の厚さ方向の寸法が大きくて嵌合孔の深さを大きく確保できる場合は勿論のこと、たとえ開閉体の厚さ方向の寸法が小さくて嵌合孔の深さが小さく制限されても、指掛け部に対して指の掛りが十分になされるので、嵌合孔の深浅如何にかかわらず開閉体の良好な開閉操作性を確保することができるばかりか、回転や摺接が繰り返される部材の省略によって部材の摩耗劣化に伴う動作のガタツキを回避できることによっても、開閉体の良好な開閉操作性を確保することが可能になる。
【００２０】
また、前記嵌合孔が盲貫孔であると、開閉体用引手は該盲貫孔が開口している開閉体の表側または裏側のいずれか一方側に取付けられるので、開閉体はその表側と裏側のいずれか一方側から開閉操作できる。そして、前記嵌合孔が貫通孔であると、開閉体用引手は該貫通孔が開口している開閉体の表側と裏側の両側に取付けられるので、開閉体はその表側と裏側の両側から開閉操作できる。
【００２１】
本考案の開閉体用引手は、前記主枠状脚部に嵌合されて該主枠状脚部の先端開口部を閉塞する底部材を備えていることが望ましい。これによると、前記開閉体に形成された嵌合孔が盲貫孔である場合、該盲貫嵌合孔の奥面が前記底部材によって隠蔽されることになる。そのため、主フランジ部側から前記奥面を視認できなくなるので、開閉体用引手および開閉体の見栄えがよくなる。
【００２２】
前記第２の目的を達成するために、本考案の前記開閉体用引手は、開閉体の厚さ方向にのびて形成された貫通嵌合孔の一方側に取付けられる前記主引手本体と、前記貫通嵌合孔の他方側に取付けられて前記主引手本体に組み付け可能な補助引手本体とからなり、
前記主引手本体は、前記貫通嵌合孔の一方側に取付けられたときに周縁部内面が該貫通嵌合孔の一方の入口周縁部に係止される主フランジ部と、該主フランジ部から前記開閉体の厚さ方向にのびて前記貫通嵌合孔の一方の入口側に嵌合される主枠状脚部とを備え、
前記補助引手本体は、前記貫通嵌合孔の他方側に取付けられたときに周縁部内面が該貫通嵌合孔の他方の入口周縁部に係止される補助フランジ部と、該補助フランジ部から前記開閉体の厚さ方向にのびて前記貫通嵌合孔の他方の入口側に嵌合される補助枠状脚部とを備えている。
【００２３】
これによれば、前記開閉体に形成された貫通嵌合孔の一方側に主引手本体を取付け、貫通嵌合孔の他方側に補助引手本体を取付けることで、開閉体はその表側と裏側の両側から開閉操作できる。また、主引手本体は前述の作用効果を奏し、補助引手本体は、主引手本体と同様に回転や摺接が繰り返される部材の省略によって部材の摩耗劣化に伴う動作のガタツキを回避できるように構成して構造が簡素化されているので、全体として構造が簡素化されたものでありながら、開閉体の表裏両側から良好な開閉操作性を確保することが可能になる。
【００２４】
本考案の開閉体用引手は、前記主引手本体の主枠状脚部と前記補助引手本体の補助枠状脚部の一方の枠状脚部が他方の枠状脚部に嵌脱可能に外嵌され、該他方の枠状脚部に前記開閉体の厚さ方向にのびる複数の切欠が形成されているとともに、一方の枠状脚部の表面には他方の枠状脚部が外嵌されたときに前記複数の切欠に係合可能な複数の突条が形成されていることが望ましい。
【００２５】
これによれば、一方の枠状脚部の表面に形成した複数の突条の突出高さを、他方の枠状脚部の表面と面一になるように設定し、かつ、前記貫通嵌合孔の内法を他方の枠状脚部が略隙間なく嵌合される大きさに設定しておけば、一方の枠状脚部を他方の枠状脚部に外嵌した状態で主引手本体と補助引手本体とを貫通嵌合孔の両側に取付けると、一方の枠状脚部の表面に形成した複数の突条が貫通嵌合孔の内面に略隙間なく密着して嵌合されるとともに、他方の枠状脚部が貫通嵌合孔の内面に略隙間なく密着して嵌合されるので、厚さ方向の寸法が小さい開閉体に形成されている軸方向寸法の短い貫通嵌合孔の両側に主引手本体と補助引手本体とをガタツクことなく適正に取付けることができる。また、軸方向寸法の長い貫通嵌合孔が形成された厚さ方向の寸法が大きい開閉体であれば、貫通嵌合孔の軸方向寸法の長さおよび開閉体の厚さ方向の寸法に応じて、主引手本体の主枠状脚部と補助引手本体の補助枠状脚部とを相互に貫通嵌合孔の軸方向に離間させて主引手本体と補助引手本体とを貫通嵌合孔の両側に取付けても、一方の枠状脚部の表面に形成した複数の突条が貫通嵌合孔の内面に略隙間なく密着して嵌合されるとともに、他方の枠状脚部が貫通嵌合孔の内面に略隙間なく密着して嵌合されるので、厚さ方向の寸法が大きい開閉体に形成されている軸方向寸法の長い貫通嵌合孔の両側に主引手本体と補助引手本体とをガタツクことなく適正に取付けることができる。
【００２６】
また、本考案の開閉体用引手は、前記補助引手本体の補助枠状脚部の内面に、透明または不透明の板材を前記開閉体の厚さ方向に交差して設けることが望ましい。これによると、透明の板材を設けた開閉体用引手であれば、在室中に点灯される室内の照明器具の照射光を透明の板材を透して室外から視認して在室中であることが確認できるので、誤って開閉体を開放してしまう誤動作を回避することができる。一方、不透明の板材を設けた開閉体用引手であれば、室外から室内を視認することができないので、プライバシーを保護することができるとともに、室外の廊下側や隣接する居間側から明かりが寝室内へ洩れるのを防止して、安眠に寄与することができる。
【００２７】
さらに、本考案の開閉体用引手は、前記補助引手本体の補助枠状脚部の内面と、この内面に対向する前記透明または不透明の板材の端面との間に通気用の隙間を形成することが望ましい。これによると、住宅居室の間仕切り戸、押入れの戸  （襖）、下駄箱の戸またはクローゼットの戸あるいは家具の引出しなどを含む開閉体が全閉されていても、その内部を簡単な構成の通気用の隙間によって換気することができ、居室在室者や押入れ、下駄箱、クローゼット、家具の引出しなどの収納品に悪影響が及ぶのを回避できる。
【考案の効果】
【００２８】
本考案に係る開閉体用引手は、シンプルな構成の主引手本体の一部材のみに部品点数を削減した構造が簡素化されたものでありながら、指の掛りが十分になされるとともに、回転や摺接が繰り返される部材の省略によって部材の摩耗劣化に伴う動作のガタツキを回避することで、開閉体の表側と裏側の少なくとも一方側から良好な開閉操作性を確保することができる。
【図面の簡単な説明】
【００２９】
【図１】本考案に係る開閉体用引手の第１実施形態の分解斜視図である。
【図２】主引手本体の説明図であり、図２（ａ）は主引手本体の正面図、図２  （ｂ）は図２（ａ）の右側面図、図２（ｃ）は図２（ａ）の背面図、図２（ｄ）は図２（ａ）のＡ−Ａ線に沿う横断面図である。
【図３】本考案に係る開閉体用引手の第１実施形態の組立状態を示す右側面図である。
【図４】本考案に係る開閉体用引手の第１実施形態を家具の引出しに取付けた状態を示す説明図であり、図４（ａ）は引出しに取付けた状態の一例を示す正面図、図４（ｂ）は図４（ａ）のＢ−Ｂ線に沿う拡大横断面図、図４（ｃ）は引き戸に取付けた状態の一例を示す正面図、図４（ｄ）は図４（ｃ）のＣ−Ｃ線に沿う拡大縦断面図である。
【図５】本考案に係る開閉体用引手の第２実施形態の分解斜視図である。
【図６】第２実施形態の開閉体用引手に適用される透明または不透明の板材の一例を示す正面図である。
【図７】補助引手本体の説明図であり、図７（ａ）は図５の矢印Ｘ方向から見た説明図、図７（ｂ）は図７（ａ）のＤ−Ｄ線に沿う横断面図である。
【図８】補助引手本体に透明または不透明の板材を設けた構成の一例を示す説明図であり、図８（ａ）は図７（ａ）に相当する説明図、図８（ｂ）は図８（ａ）のＥ−Ｅ線に沿う横断面図である。
【図９】本考案に係る開閉体用引手の第２実施形態を開閉体に取付けた状態の一例を示す縦断側面図である。
【図１０】図９のＦ−Ｆ線に沿う拡大横断面図である。
【図１１】本考案に係る開閉体用引手の第２実施形態を開閉体に取付けた状態の他の例を示す縦断側面図である。
【図１２】本発明の第２実施形態で説明した開閉体用引手を明かり採り窓として適用した例の説明図であり、図１２（ａ）は住宅居室の間仕切り戸やクローゼットの戸などの引き戸に取付けた状態の一例を示す斜視図、図１２（ｂ）はトイレのドアに取付けた状態の一例を示す正面図である。
【図１３】従来例の横断面図である。
【図１４】従来例の居室内側から引戸を開け締めする際の様子を示す説明図である。
【図１５】従来例の居室外側（廊下側）から引戸を開け締めする際の様子を示す説明図である。
【考案を実施するための形態】
【実施例】
【００３０】
図１は本考案に係る開閉体用引手の第１実施形態の分解斜視図、図２は主引手本体の説明図であり、図２（ａ）は主引手本体の正面図、図２（ｂ）は図２（ａ）の右側面図、図２（ｃ）は図２（ａ）の背面図、図２（ｄ）は図２（ａ）のＡ−Ａ線に沿う横断面図である。これらの図において、１は開閉体用引手、２は底部材を示す。
【００３１】
開閉体用引手１は樹脂の一体成形品からなり、矩形状の主フランジ部１０と、該主フランジ部１０の内面（後面）から反主フランジ部１０の方向にのびる矩形状の主枠状脚部１１とを備えた主引手本体１Ａによって構成されている。そして、主フランジ部１０の中心Ｏ１と対称軸Ｘ１に対して主枠状脚部１１の中心Ｏ２と対称軸Ｘ２とを幅方向［図１，図２（ａ）の矢印Ｗ方向］の一方（主フランジ部１０側からみて右側）へ変位させており、このように変位させることで、主フランジ部１０の内周縁部の一部に該主フランジ部１０側からみて左側へ主枠状脚部１１の内面から少しはみ出して主枠状脚部１１の長手方向［図１，図２（ａ）の矢印Ｌ方向］全長にのびる指掛け部１２を設けてある。
【００３２】
主引手本体１Ａにおける主枠状脚部１１の幅方向両側壁１１ａ，１１ｂの表面には、長手方向に所定の間隔を隔てて二組の突条１３Ａ，１３Ｂが形成されている。一組の突条１３Ａは長手方向に所定の対向間隔を隔てて主枠状脚部１１の先端（奥端）から主フランジ部１０の内面（後面）の近くまで平行にのびる一対の角形リブ１３ａ，１３ａを備え、他の一組の突条１３Ｂは長手方向に所定の対向間隔を隔てて主枠状脚部１１の先端（奥端）から主フランジ部１０の内面（後面）の近くまで平行にのびる一対の角形リブ１３ｂ，１３ｂを備えている。
【００３３】
また、前記主枠状脚部１１の長手方向両側壁１１ｃ，１１ｄには、図２（ａ），図２（ｂ），図２（ｃ）に示すように、対称軸Ｘ２上において金属製のナット１４をインサートしたナットホルダー１５が長手方向両側壁１１ｃ，１１ｄの厚さ方向（矢印Ｔ方向）の寸法と同じ寸法を有して隣接している。
【００３４】
底部材２は樹脂の一体成形品からなり、底部２０と枠部２１とを有する矩形皿状のもので、枠部２１は開閉体用引手１の主枠状脚部１１を外嵌できる大きさに形成され、その厚さ方向（矢印Ｔ方向）の寸法は主枠状脚部１１の厚さ方向（矢印Ｔ方向）の寸法よりも僅かに小さく設定されている。すなわち、枠部２１を主引手本体１Ａの主枠状脚部１１に外嵌することで、主枠状脚部１１の幅方向両側壁１１ａ，１１ｂの表面に枠部２１の幅方向両側壁２１ａ，２１ｂの内面が接触し、主枠状脚部１１の長手方向両側壁１１ｃ，１１ｄの表面に枠部２１の長手方向両側壁２１ｃ，２１ｄの内面が接触するとともに、枠部２１の主引手本体１Ａに対向する側の端面は主フランジ部１０の内面（後面）に近接する。
【００３５】
底部材２の枠部２１における幅方向両側壁２１ａ，２１ｂには、前記主枠状脚部１１の幅方向両側壁１１ａ，１１ｂの表面に形成されている二組の突条１３Ａ，１３Ｂに嵌合係止される二組の嵌合係止部２２Ａ，２２Ｂが形成されており、底部材２の枠部２１における長手方向両側壁２１ｃ，２１ｄには、前記主枠状脚部１１の長手方向両側壁１１ｃ，１１ｄのそれぞれに隣接しているナットホルダー１５との干渉を避ける切欠２３を設けてある。
【００３６】
二組の嵌合係止部２２Ａ，２２Ｂは、図３に示すように、主引手本体１Ａに底部材２を組み付けたときに、詳しくは、主引手本体１Ａの主枠状脚部１１に底部材２の枠部２１を外嵌して両者１Ａ，２を組み立てたときに、両者１Ａ，２の分解離脱を防止するように機能して、両者１Ａ，２の組立状態を保持する。なお、主引手本体１Ａと底部材２の組立は、両者１Ａ，２を厚さ方向（矢印Ｔ方向）で離間して互いに対向させたのちに相対的に接近させる方向へ押圧するワンタッチ操作によって実現できる。
【００３７】
図３において、一組の嵌合係止部２２Ａは、一対の嵌合面２４と、先端に係止爪部２５を設けた一対の係止片２６，２６とを備える．前記嵌合面２４，２ａは、主引手本体１Ａに底部材２を組み付けたときに、前記一組の突条１３Ａを構成している一対の角形リブ１３ａ，１３ａそれぞれの長手方向（矢印Ｌ方向）外端面に外嵌される。そして、前記組み付けの過程では、各係止爪部２５が一対の角形リブ１３ａ，１３ａそれぞれの内端面に干渉して一対の係止片２６，２６を弾性変形させながら各係止爪部２５の対向間隔を縮小し、前記組み付けの終了時に一対の係止片２６，２６が弾性復帰することによって、各係止爪部２５が一対の角形リブ１３ａ，１３ａそれぞれの主フランジ部１０側の端面に係止される。
【００３８】
一方、他の一組の嵌合係止部２２Ｂも、一対の嵌合面２４と、先端に係止爪部２５を設けた一対の係止片２６，２６とを備える．前記嵌合面２４，２ａは、主引手本体１Ａに底部材２を組み付けたときに、前記一組の突条１３Ｂを構成している一対の角形リブ１３ｂ，１３ｂそれぞれの長手方向（矢印Ｌ方向）外端面に外嵌される。そして、前記組み付けの過程では、各係止爪部２５が一対の角形リブ１３ｂ，１３ｂそれぞれの内端面に干渉して一対の係止片２６，２６を弾性変形させながら各係止爪部２５の対向間隔を縮小し、前記組み付けの終了時に一対の係止片２６，２６が弾性復帰することによって、各係止爪部２５が一対の角形リブ１３ｂ，１３ｂそれぞれの主フランジ部１０側の端面に係止される。なお、主引手本体１Ａと底部材２の組立状態において、主引手本体１Ａ側の各角形リブ１３ａ，１３ａ、１３ｂ，１３ｂの外面が二組の嵌合係止部２２Ａ，２２Ｂと面一になるように、各角形リブ１３ａ，１３ａ、１３ｂ，１３ｂの突出高さが底部材２の枠部２１における幅方向両側壁部２１ａ，２１ｂの肉厚と等しい値に設定されている。
【００３９】
図３のように開閉体用引手１を構成している主引手本体１Ａと底部材２の組立状態で、たとえば図４（ａ），（ｂ）に示すように、家具の引出し（開閉体）３における前板３０に水平方向にのびて形成された盲貫孔からなる嵌合孔３１に取付けられる。なお、該盲貫孔からなる嵌合孔３１は、前板３０に対して各角形リブ１３ａ，１３ａ、１３ｂ，１３ｂの外面および底部材２の嵌合を許容できるように、矩形を呈して所定の深さに彫り込むことによって形成されている。これにより、主引手本体１Ａの主フランジ部１０は、指掛け部１２をたとえば上側に位置させて下向きにした状態で周縁部内面が嵌合孔３１の入口周縁部に係止され、主引手本体１Ａの主枠状脚部１１に突設した各角形リブ１３ａ，１３ａ、１３ｂ，１３ｂの外面および底部材２が前記盲貫孔からなる嵌合孔３１に嵌合される。また、主引手本体１Ａは、前板３０の背面側から金属製のナット１４［図２（ｃ）参照］にねじ込んだ２本のビス１６により固定される。したがって、下向きの指掛け部１２に指先を引っ掛けて手前に引張ることで家具の引出し（開閉体）３を開放することができ、開放された家具の引出し３は前板３０を押し込むことで元の状態に格納できる。
【００４０】
開閉体用引手１の第１実施形態において、図３に示す主引手本体１Ａと底部材２との組立状態では、前述した家具の引出しからなる開閉体３の前板３０にのみ取付けられるものではなく、図４（ｃ）に示すように、引き戸からなる開閉体３の表面側に形成した盲貫孔からなる嵌合孔３１［ただし、図４（ｃ）には図示していない］に鉛直姿勢で取付けてもよい。これによると、引き戸からなる開閉体３は、左向きの指掛け部１２に指先を引っ掛けて右方向［矢印（Ｒ）方向］に引張ることで、たとえば開放され、指掛け部１２に対向する主枠状脚部１１の側壁１１ａに指先を引っ掛けて左方向［矢印（Ｌ）方向］に引張ることで、たとえば閉じることができる。
【００４１】
また、開閉体用引手１の第１実施形態において、図３に示す主引手本体１Ａと底部材２との組立状態では、図４（ｄ）に示すように、引き戸からなる開閉体３の厚さ方向にのびて鉛直姿勢で形成された貫通嵌合孔３２の両端開口、つまり、引き戸からなる開閉体３の表側と裏側の両側に取付けてもよい。これによると、第１実施形態の一対の開閉体用引手１を利用して、開閉体３を表裏両側からそれぞれ開閉することができる。なお、このような取付け状態では、図示していない接着材によって、主フランジ部１０の周縁部を盲貫孔からなる嵌合孔３１の入口周縁部に接着して固定すればよい。
【００４２】
前記構成のように、第１実施形態の開閉体用引手１は、主フランジ部１０の中心Ｏ１と対称軸Ｘ１に対して主枠状脚部１１の中心Ｏ２と対称軸Ｘ２とを幅方向の一方へ変位させることで、主フランジ部１０の内周縁部の一部に主枠状脚部１１の内面からはみ出す指掛け部１２を設けた構成の主引手本体１Ａ、つまり、主フランジ部１０の正面から目視不能な指掛け部１７を該主フランジ部１０の内周縁部の一部に設けたシンプルな構成の主引手本体１Ａの一部材のみに部品点数を削減して構造の簡素化を図ることができる。また、盲貫孔からなる嵌合孔３１の入口周縁部に係止される主フランジ部１０の内周縁部の一部に指掛け部１２が設けられることで、開閉体３の厚さ方向の寸法が大きくて嵌合孔３１の深さを大きく確保できる場合は勿論のこと、たとえ開閉体３の厚さ方向の寸法が小さくて嵌合孔３１の深さが小さく制限されても、指掛け部１２に対して指の掛りが十分になされるので、嵌合孔３１の深浅如何にかかわらず開閉体３の良好な開閉操作性を確保することができるばかりか、回転や摺接が繰り返される部材の省略によって部材の摩耗劣化に伴う動作のガタツキを回避できることによっても、開閉体の良好な開閉操作性を確保することが可能になる。
【００４３】
また、盲貫孔からなる嵌合孔３１であると、開閉体用引手１は該盲貫孔からなる嵌合孔３１が開口している開閉体３の表側または裏側のいずれか一方側に取付けられるので、開閉体３はその表側と裏側のいずれか一方側から開閉操作できる。そして、貫通嵌合孔３２であると、開閉体用引手１は貫通嵌合孔３２が開口している開閉体３の表側と裏側の両側に取付けられるので、開閉体３はその表側と裏側の両側から開閉操作できる。
【００４４】
さらに、開閉体用引手１は、主枠状脚部１１の先端開口部が底部材２の底部２０によって閉塞されているので、開閉体３に盲貫孔からなる嵌合孔３１が形成されていても、該盲貫嵌合孔３１の奥面３１ａ［図４（ｂ）参照］が底部材２の底部２０によって隠蔽されることになる。そのため、主フランジ部１０側から奥面３１ａを視認できなくなるので、開閉体用引手１および開閉体３の見栄えがよくなる。
【００４５】
なお、前記第１実施形態で説明した開閉体用引手１では、底部材２の使用を省略して、主枠状脚部１１を開閉体３の盲貫孔からなる嵌合孔３１に嵌合して主引手本体１Ａのみを嵌合孔３１に取付けてもよい。このようにすると、主フランジ部１０側から盲貫嵌合孔３１の奥面３１ａが視認されるので、開閉体用引手１および開閉体３の見栄えが若干低下するものの、それ以外は前述と同様の作用効果を奏することができる。
【００４６】
図５は本考案に係る開閉体用引手の第２実施形態の分解斜視図、図６は第２実施形態の開閉体用引手に適用される透明または不透明の板材の一例を示す正面図、図７は補助引手本体の説明図であり、図７（ａ）は図５の矢印Ｘ方向から見た説明図、図７（ｂ）は図７（ａ）のＤ−Ｄ線に沿う拡大横断面図、図８は補助引手本体に透明または不透明の板材を設けた構成の一例を示す説明図で、図８（ａ）は図７（ａ）に相当する説明図、図８（ｂ）は図８（ａ）のＥ−Ｅ線に沿う拡大横断面図である。
【００４７】
図５〜図８において、開閉体用引手１は、貫通嵌合孔３２（図８参照）の一方側に取付けられる主引手本体１Ａと、貫通嵌合孔３２の他方側に取付けられて主引手本体１Ａに組み付けられる樹脂の一体成形品からなる補助引手本体４とで構成されおり、樹脂製で透明な矩形状の板材５を有している。
【００４８】
主引手本体１Ａは、第１実施形態で説明した主引手本体１Ａと同じ材質と同じ大きさおよび同じ構造のものである。したがって、第１実施形態の主引手本体１Ａと同一部分には同一符号を付して重複する構造説明は省略する。
【００４９】
補助引手本体４は、矩形状の補助フランジ部４０と、該補助フランジ部４０の内面から反補助フランジ部４０の方向にのびる矩形状の補助枠状脚部４１とを備え、該補助枠状脚部４１は主引手本体１Ａの主枠状脚部１１に外嵌して組み付けられる。
【００５０】
補助引手本体４における補助枠状脚部４１の幅方向両側壁４１ａ，４１ｂには、補助枠状脚部４１を主引手本体１Ａにおける主枠状脚部１１に外嵌して組み付けたときに、該主枠状脚部１１の幅方向両側壁１１ａ，１１ｂの表面に形成されている二組の突条１３Ａ，１３Ｂに備わっている一対の角形リブ１３ａ，１３ａ、１３ｂ，１３ｂに嵌合される二組の切欠４２Ａ，４２Ｂが形成され、かつ、補助枠状脚部４１の長手方向両側壁４１ｃ，４１ｄには、前記主枠状脚部１１の長手方向両側壁１１ｃ，１１ｄそれぞの表面に形成されているナットホルダー１５との干渉を避ける切欠４３が設けれているとともに、長手方向両側壁４１ｃ，４１ｄの外側にナットホルダー１５にインサートされている金属製のナット１４に同心で対向するビス挿通孔４４が補助フランジ部４０を貫通して設けてある。
【００５１】
一方、補助枠状脚部４１における幅方向両側壁４１ａ，４１ｂそれぞれの内面には、長手方向に所定の間隔を隔てて三つの外嵌深さ規制突起４５が補助フランジ部４０の内面から幅方向両側壁４１ａ，４１ｂの途中まで等量でのびて突設され、補助枠状脚部４１における長手方向両側壁４１ｃ，４１ｄそれぞれの内面にも、一つの外嵌深さ規制突起４５が補助フランジ部４０の内面から長手方向両側壁４１ｃ，４１ｄの途中まで前記幅方向両側壁４１ａ，４１ｂそれぞれの内面に形成されている外嵌深さ規制突起４５と等量でのびて突設されている。
【００５２】
図８（ａ），（ｂ）に示すように、矩形状の透明の板材５は、各長辺を補助枠状脚部４１の幅方向両側壁４１ａ，４１ｂそれぞれの内面に突設されている三つの外嵌深さ規制突起４５の先端から少し補助フランジ部４０側に偏った部位に挟持され、かつ、各短辺を補助枠状脚部４１の長手方向両側壁４１ｃ，４１ｄそれぞれの内面に突設されている一つの外嵌深さ規制突起４５の先端から少し補助フランジ部４０側に偏った部位に挟持された状態で補助引手本体４に組み付けて設けられる。これにより、透明の板材５の各長辺および短辺と補助枠状脚部４１における幅方向両側壁４１ａ，４１ｂおよび長手方向両側壁４１ｃ，４１ｄそれぞれの内面との間に通気用の隙間Ｃが形成される。なお、透明の板材５の一方の面［図６の裏面（たとえば主引手本体１Ａの反対側の面）］には、補助引手本体４側からの照射光の照射効率を高める多数の四角錐からなる凹凸部５ａが形成されている。ただし、この凹凸部５ａはなくてもよい。
【００５３】
図９に示すように、第２実施形態の開閉体用引手１は、たとえば住宅居室の間仕切り戸において、左右（図９では紙面方向と、反紙面方向に相当する）に移動させて開閉する引き戸からなる開閉体３の貫通嵌合孔３２に取付けられる。貫通嵌合孔３２は、主引手本体１Ａの主枠状脚部１１の嵌合が許容され（詳しくは、前記各角形リブ１３ａ，１３ａ、１３ｂ，１３ｂの外面とナットホルダー１５の嵌合が許容される）、補助引手本４における補助枠状脚部４１の嵌合が許容される矩形を呈して形成されている。
【００５４】
貫通嵌合孔３２への第２実施形態の開閉体用引手１の取付けは、貫通嵌合孔３２の一方側（たとえば居室外側Ｏ）に主引手本体１Ａを取付けたのちに、貫通嵌合孔３２の他方側（たとえば居室内側Ｉ）に補助引手本体４を取付ける手順によってなされる。このように、第２実施形態の開閉体用引手１を貫通嵌合孔３２の居室外側Ｏと居室内側Ｉとに振り分けて取付けたのちに、主引手本体１Ａと補助引手本体４の両者は、補助引手本体４側のビス挿通孔４４を挿通して主引手本体１Ａ側の金属製のナット１４［図２（ｃ）参照］にねじ込んだ２本のビス１６により固定される。
【００５５】
主引手本体１Ａを貫通嵌合孔１３の一方側（たとえば居室外側Ｏ）に取付けたのちに、補助引手本体４を貫通嵌合孔１３の他方側（たとえば居室内側Ｉ）に取付けることで、主引手本体１Ａの主フランジ部１０の周縁部内面が貫通嵌合孔３２の一方の入口周縁部に係止され、主引手本体１Ａの主枠状脚部１１に突設した各角形リブ１３ａ，１３ａ、１３ｂ，１３ｂの外面が貫通嵌合孔３１に嵌合されるとともに、補助引手本体４の補助フランジ部４０の周縁部内面が貫通嵌合孔３２の他方の入口周縁部に係止され、補助引手本体４の補助枠状脚部４１が主引手本体１Ａの主枠状脚部１１に外嵌して組み付けられて貫通嵌合孔３１に嵌合される。
【００５６】
主引手本体１Ａの主枠状脚部１１に対する補助引手本体４の補助枠状脚部４１の外嵌は、補助引手本体４の補助枠状脚部４１における幅方向両側壁４１ａ，４１ｂそれぞれの内面に突設されている三つの外嵌深さ規制突起４５および長手方向両側壁４１ｃ，４１ｄそれぞれの内面に突設されている一つの外嵌深さ規制突起４５の先端に主引手本体１Ａの主枠状脚部１１の端面が当接するまで、主引手本体１Ａに向けて補助引手本体４を押圧移動することによって実現でき、補助引手本体４の押圧移動は、主枠状脚部１１の幅方向両側壁１１ａ，１１ｂの表面に形成されている二組の突条１３Ａ，１３Ｂに備わっている一対の角形リブ１３ａ，１３ａ、１３ｂ，１３ｂに、補助枠状脚部４１の幅方向両側壁４１ａ，４１ｂに形成されている二組の切欠４２Ａ，４２Ｂが嵌合されることによって許容される。
【００５７】
また、前記三つの外嵌深さ規制突起４５および一つの外嵌深さ規制突起４５の先端に主引手本体１Ａの主枠状脚部１１の端面が当接するすることによって、主引手本体１Ａの主枠状脚部１１に対する補助引手本体４の補助枠状脚部４１の外嵌深さが規制されることで、主枠状脚部１１の端面と矩形状の透明の板材５の周縁部との間に隙間Ｃ１（図１０参照）が形成される。
【００５８】
住宅居室を間仕切る引き戸からなる開閉体３を居室外側Ｏから右側（図９では反紙面側）に引張って開く操作は、主引手本体１Ａを居室外側Ｏから見た場合に目視できないけれど主フランジ部１０の内周縁部の一部に主枠状脚部１１の内面から左側（図９では紙面側）に少しはみ出して設けられている鉛直左向きの指掛け部１２に指先を引っ掛けて右方向に引張ることで行うことができ、開閉体３を居室外側Ｏから左側（図９では紙面側）に引張って閉じる操作は、指掛け部１２に対向する主枠状脚部１１の側壁１１ａに指先を引っ掛けて左方向に引張ることで行うことができる。
【００５９】
一方、前記開閉体３を居室内側Ｉから左側（図９では反紙面側）に引張って開く操作は、補助引手本体４を居室内側Ｉから見た場合に補助枠状脚部４１の左側に位置している一方の側壁４１ｂに指先を引っ掛けて左方向に引張ることで行うことができ、開閉体３を居室内側Ｉから右側（図９では反紙面側）に引張って閉じる操作は、前記一方の側壁４１ｂに対向する他方の側壁４１ａに指先を引っ掛けて右方向に引張ることで行うことができる。
【００６０】
前記構成のように、第２実施形態の開閉体用引手１は、たとえば住宅居室を間仕切る引き戸からなる開閉体３に形成された貫通嵌合孔３２の一方側に主引手本体１Ａを取付け、貫通嵌合孔３２の他方側に補助引手本体４を取付けることで、開閉体３はその表側Ｏと裏側Ｉの両側から開閉操作できる。また、主引手本体１Ａは前記第１実施形態で説明した通りの作用効果を奏し、補助引手本体４は、主引手本体１Ａと同様に回転や摺接が繰り返される部材の省略によって部材の摩耗劣化に伴う動作のガタツキを回避できるように構成して構造が簡素化されているので、第２実施形態の開閉体用引手１は、全体として構造が簡素化されたものでありながら、開閉体３の表裏両側から良好な開閉操作性を確保することが可能である。
【００６１】
また、第２実施形態の開閉体用引手１は、主引手本体１Ａを貫通嵌合孔１３の一方側（たとえば居室外側Ｏ）に取付けたのちに、補助引手本体４を貫通嵌合孔１３の他方側（たとえば居室内側Ｉ）に取付けることで、主引手本体１Ａの主枠状脚部１１に突設した各角形リブ１３ａ，１３ａ、１３ｂ，１３ｂの外面が貫通嵌合孔３１の内面に略隙間なく密着して嵌合されるとともに、補助引手本体４の補助枠状脚部４１が貫通嵌合孔３１の内面に略隙間なく密着して嵌合されるので、図９のように、厚さ方向（矢印Ｔ方向）の寸法が小さい開閉体３に形成されている軸方向寸法の短い貫通嵌合孔３２の両側に主引手本体１Ａと補助引手本体４とをガタツクことなく適正に取付けることができるばかりか、図１１に示すように、厚さ方向（矢印Ｔ方向）の寸法が大きい開閉体３に形成されている軸方向寸法の長い貫通嵌合孔３２の両側に主引手本体１Ａと補助引手本体４とを相互に離間して取付けても、主引手本体１Ａの主枠状脚部１１に突設した各角形リブ１３ａ，１３ａ、１３ｂ，１３ｂの外面が貫通嵌合孔３１の内面に略隙間なく密着して嵌合され、かつ、補助引手本体４の補助枠状脚部４１が貫通嵌合孔３１の内面に略隙間なく密着して嵌合されるので、厚さ方向の寸法が大きい開閉体３に形成されている軸方向寸法の長い貫通嵌合孔３２の両側に主引手本体１Ａと補助引手本体４とをガタツクことなく適正に取付けることができる。なお、図１１では図９と同一部分に同一符号を付して、重複する説明は省略する。
【００６２】
さらに、第２実施形態の開閉体用引手１では、居室が在室中で室内の照明器具が点灯されている場合には、照明器具の照射光が透明の板材５を透して居室の外側から視認できるので、第三者に在室中であることを確認させることで、誤って開閉体用引手１が開放されるのを回避することができる。また、前記透明の板材５に代えて不透明の板材５を設けた開閉体用引手１であれば、不透明の板材５を透して居室内を視認することができなくなるので、プライバシーを保護することができるとともに、室外の廊下側や隣接する居間側から明かりが寝室内へ洩れるのを防止して、就寝時の安眠に寄与することができる。さらに、第２実施形態の開閉体用引手１をたとえばトイレの戸に取付ければ、トイレ使用時に点灯されるトイレ用照明器具の照射光を、透明の板材５を透してトイレの外側から視認して、トイレ使用中であることが確認できるので、トイレ使用中であるのもかかわらず、誤ってトイレの戸を開放してしまう誤動作を回避することができる。
【００６３】
また、第２実施形態の開閉体用引手１では、補助引手本体４の補助枠状脚部４１の内面と、この内面に対向する透明または不透明の板材５の各長辺および短辺との間に通気用の隙間Ｃが形成されるとともに、図９に示す開閉体用引手１の取付け状態では、三つの外嵌深さ規制突起４５および一つの外嵌深さ規制突起４５の先端に主引手本体１Ａの主枠状脚部１１の端面が当接して、主引手本体１Ａの主枠状脚部１１に対する補助引手本体４の補助枠状脚部４１の外嵌深さが規制されることで、主枠状脚部１１の先端と矩形状の透明の板材５の周縁部との間に隙間Ｃ１が形成される。
【００６４】
前記通気用の隙間Ｃは、透明または不透明の板材５の各長辺を補助枠状脚部４１の幅方向両側壁４１ａ，４１ｂそれぞれの内面に突設されている三つの外嵌深さ規制突起４５で挟持し、かつ、各短辺を補助枠状脚部４１の長手方向両側壁４１ｃ，４１ｄそれぞれの内面に突設されている一つの外嵌深さ規制突起４５で挟持することで簡単に構成でき、前記隙間Ｃ１は、前記各外嵌深さ規制突起４５の先端に主引手本体１Ａの主枠状脚部１１の先端が当接して、主引手本体１Ａの主枠状脚部１１に対する補助引手本体４の補助枠状脚部４１の外嵌深さが規制されることで、主枠状脚部１１の先端と矩形状の透明の板材５の周縁部との間に簡単に構成できる。すなわち、住宅居室の間仕切り戸、押入れの戸（襖）、下駄箱の戸またはクローゼットの戸あるいは家具の引出しなどを含む開閉体３が全閉されていても、その内部を前記簡単な構造の通気用の隙間Ｃと隙間Ｃ１を換気通路として換気することができる。そのため、居室在室者や押入れ、下駄箱、クローゼット、家具などの収納品に悪影響が及ぶのを回避できる。なお、第２実施形態の開閉体用引手１は、図１１に示す取付け状態では、通気用の隙間Ｃのみで換気することができる。
【００６５】
前記第１および第２実施形態では、矩形状の開閉体用引手１で説明しているが、開閉体用引手１の形状は矩形状のみに限定されるものではなく、長円形状や円形状であってもよい。
【００６６】
また、前記第１実施形態では、主引手本体１Ａの主枠状脚部１１に底部材２の枠部２１を外嵌する構成で説明しているが、主引手本体１Ａの主枠状脚部１１を底部材２の枠部２１に外嵌する構成であってもよい。この場合、主引手本体１Ａの主枠状脚部１１に前記二組の嵌合係止部２２Ａ，２２Ｂに相当する二組の嵌合係止部を形成し、底部材２の枠部２１に前記二組の突条１３Ａ，１３Ｂに相当する二組の突条を形成する必要がある。
【００６７】
さらに、前記第２実施形態では、主引手本体１Ａの主枠状脚部１１に補助引手本体４の補助枠状脚部４１を外嵌する構成で説明しているが、主引手本体１Ａの主枠状脚部１１を補助引手本体４の補助枠状脚部４１に外嵌する構成であってもよい。この場合、主引手本体１Ａの主枠状脚部１１に前記二組の切欠４２Ａ，４２Ｂに相当する二組の切欠を形成し、補助引手本体４の補助枠状脚部４１に前記二組の突条１３Ａ，１３Ｂに相当する二組の突条を形成する必要がある。
【００６８】
また、前記第２実施形態では、図９のように、厚さ方向の寸法が小さい最小厚さの開閉体３に形成されている軸方向寸法の短い貫通嵌合孔３２の両側に主引手本体１Ａと補助引手本体４とを取付けた構成と、図１１のように、厚さ方向の寸法が大きい最大厚さの開閉体３に形成されている軸方向寸法の長い貫通嵌合孔３２の両側に主引手本体１Ａと補助引手本体４とを相互に離間してを取付けた構成で説明しているが、前記最小厚さの開閉体３と最大厚さの開閉体３の間の任意の厚さ方向の寸法を有する開閉体３に形成されている貫通嵌合孔３２の両側に主引手本体１Ａと補助引手本体４とを取付けることができる。
【００６９】
さらに、前記第２実施形態の開閉体用引手１であると、図１２（ａ）に示すように、たとえば住宅居室を間仕切る引き戸からなる開閉体３の幅方向の一端部に引手専用として開閉体用引手１を鉛直に取付けるとともに、開閉体３の上縁部近くに開閉体用引手１を水平に取付けることで、この水平に取付けた開閉体用引手１を明かり採り窓として機能させて採光効果を高めるとともに、これら二つの開閉体用引手１のそれぞれが前述の簡単な構造の通気用の隙間Ｃと隙間Ｃ１（図１０参照）からなる換気通路を備えていることで換気効果を高めるこができる。また、図１２（ｂ）に示すように、ノブＫが取付けられている開閉体（たとえばトイレのドア）３において、ノブＫの上部に第２実施形態の開閉体用引手１を鉛直に取付けることで、該開閉体用引手１を明かり採り窓として機能させて採光を確保するとともに、前記換気通路によって換気することもできる。
【産業上の利用可能性】
【００７０】
住宅居室の間仕切り戸、押入れの戸（襖）、下駄箱の戸またはクローゼットの戸あるいは引出しなどを含む開閉体３に取付けて、該開閉体３を開閉する際に開閉体用引手として使用する。
【符号の説明】
【００７１】
１  開閉体用引手
１Ａ  主引手本体
２  底部材
３  開閉体
４  補助引手本体
５  透明または不透明の板材
１０  主フランジ部
１１  主枠状脚部
１２  指掛け部
１３Ａ，１３Ｂ  二組の突条（複数の突条）
３１  盲貫孔（嵌合孔）
３２  盲貫通嵌合孔（嵌合孔）
４０  補助フランジ部
４１  補助枠状脚部
４２Ａ，４２Ｂ  複数の切欠
４３  切欠（複数の切欠）
Ｏ１  主フランジ部の中心
Ｏ２  主枠状脚部の中心
Ｃ  通気用の隙間
Ｃ１隙間（  通気用の隙間）
Ｘ１  主フランジ部の対称軸
Ｘ２  主枠状脚部の対称軸
【図１】
0003152767.tif 000003
【図２】
0003152767.tif 000004
【図３】
0003152767.tif 000005
【図４】
0003152767.tif 000006
【図５】
0003152767.tif 000007
【図６】
0003152767.tif 000008
【図７】
0003152767.tif 000009
【図８】
0003152767.tif 000010
【図９】
0003152767.tif 000011
【図１０】
0003152767.tif 000012
【図１１】
0003152767.tif 000013
【図１２】
0003152767.tif 000014
【図１３】
0003152767.tif 000015
【図１４】
0003152767.tif 000016
【図１５】
0003152767.tif 000017